(57)【特許請求の範囲】
【請求項１】
バイノーラル方式でコード化された信号を変換して近接音場再生するための携帯用音場再生装置において、
前記近接音場内の最適位置にリスナ頭部を位置決めするための頭部位置決め器と、
前記リスナ頭部の最適位置の近傍であってこの最適位置に向けて配置され、前記頭部位置決め器との特定の関係において前記近接音場を形成するための一対のスピーカと、
携帯用サポートと、
を含み、
前記スピーカは、一対の腕により前記サポートに着脱可能に設置されており、その際、前記腕の各々が前記スピーカの各々を前記サポートに設置し、
前記腕は、前記スピーカをリスナ位置に対して常に最適の位置に配置するために、独自の長さを有して構成され、かつサポートに対して選択された位置と角度関係とを有して配置され、
前記サポートはバスエンクロージャから構成されることを特徴とする携帯用音場再生装置。
【請求項２】
請求項１に記載の携帯用音場再生装置において、
前記バスエンクロージャは、一対の出力コネクタを有し、
更に各前記スピーカは、それぞれのスピーカをそれぞれの前記出力コネクタに着脱可能かつ電気的に接続するための入力コネクタを有することを特徴とする携帯用音場再生装置。
【請求項３】
請求項１に記載の携帯用音場再生装置において、
前記バスエンクロージャはイコライザ回路、パワーアンプ回路、および少なくとも１つのラウドスピーカ駆動回路を含むことを特徴とする携帯用音場再生装置。
【請求項４】
請求項１に記載の携帯用音場再生装置において、
前記バスエンクロージャは、リスナ頭部の最適位置から約１０１．６ミリメートル（約４インチ）前方に音場出力ポートを有することを特徴とする携帯用音場再生装置。
【請求項５】
請求項１乃至４の何れか一つに記載の携帯用音場再生装置において、
前記頭部位置決め器は、顎のせから構成されることを特徴とする携帯用音場再生装置。
【請求項６】
バイノーラル方式でコード化された信号を変換して近接音場再生するための携帯用音場再生装置用のキットにおいて、
スピーカサポートと、リスナ頭部を最適な位置に位置決めする頭部位置決め器と、一対のスピーカとを取り外して保管するための仕切りが設けられた保護梱包部を含む持ち運びケースから構成されることを特徴とする携帯用音場再生装置用のキット。
【請求項７】
請求項６に記載の携帯用音場再生装置用のキットにおいて、更に前記保護梱包部に、前記スピーカの各々を前記スピーカサポートに着脱可能に固定する一対の腕を収容するための仕切りが設けられていることを特徴とする携帯用音場再生装置用のキット。
【請求項８】
請求項７に記載の携帯用音場再生装置用キットにおいて、
前記腕の各々は約２０３．２ミリメートル（約８インチ）であり、
前記サポートは、前記腕と協働して、前記頭部位置決め器が位置決めした前記リスナ頭部の最適位置に対する最適な位置として、リスナ頭部の耳から前方および側方に約１７７．８ミリメートル（約７インチ）離れた２線の交点であってかつ前記耳と同程度の高さの位置に、前記スピーカを設置するように構成および配置されることを特徴とする携帯用音場再生装置用のキット。
【請求項９】
請求項１に記載の携帯用音場再生装置において、
前記スピーカは、前記リスナ頭部が有する耳の前方および側方に約１７７．８ミリメートル（約７インチ）離れた２線の交点であってかつ前記耳と同程度の高さの最適位置に設置されることを特徴とする携帯用音場再生装置。
【発明の詳細な説明】
【０００１】
【産業上の利用分野】
本発明は一般的に、バイノーラル方式でコード化された信号を変換するための音場再生装置、特に、トランスオーラルクロストークイコライザ処理の施された信号を含む、バイノーラル方式でコード化された信号を変換して近接音場再生するための新たな装置に関する。
【０００２】
【従来の技術】
この種のシステムを用いれば、リスナは極めて本物の音に近い三次元聴覚を味わうことができ、生演奏に劣らない聴体験を得る事ができる。
【０００３】
本発明の背景となる参考文献として、米国特許第４，８９３，３４２号（Head Diffraction Compensated Stereo System) 、また論文"Theory And Design of a Digital Audio Signal Processor for Home Use"(David Griesinger, in J. Audio Eng. Soc., Vol. 37, No. 1/2 1989 January/February p.40)を挙げる。後者は、Schroeder 氏の研究について書かれている。この研究では、実際のコンサートホールにおいてバイノーラル方式を用いて録音し、後にインターオーラルクロストークエリミネーション方法によりこれを再生した。更に参考として次の論文等を挙げる。"Comparative Study of European Concert Halls: Correlation of Subjective Preference with Geometric and Acoustic Parameters" (M.R. Schroeder et al. in J. Acoust. Soc. Am., Vol 56, No. 4, October 1974 p.1195) 、"Reproduction of Artificial-head Recordings through Loudspeakers  " (Moller, in J. Audio Eng. Soc., Vol 37 No. 1/2 1989 January/February p. 30) 、"Prospects for Transaural Recording" (Cooper et al., in J. Audio Eng. Soc. Vol. 37, No. 1/2, 1989 January/February p.3) 、米国特許第３，２３６，９４９号（Apparent Sound Source Translator）および"Transaural Stereo and Near-Field Listening" (Salara, in J. Audio Eng. Soc., Vol. 38, No. 1/2 1990 January/February p.40) 。
【０００４】
【発明が解決しようとする課題】
本発明の主要目的は、バイノーラル方式でコード化された信号を変換して近接音場再生するための改良された装置および技術を提供することである。
【０００５】
本発明の他の目的は、どんな環境においても容易に設置して使用できるようなコンパクトで携帯可能な形態において前述の目的を実現することである。
【０００６】
【課題を解決するための手段】
本発明によれば、バイノーラル方式でコード化された記号を変換して近接音場再生するための携帯用音場再生装置は、リスナの頭部を近接音場内の最適位置に位置決めするための頭部位置決め器と、一対のスピーカと、携帯用サポートと、を含む。スピーカは、リスナ頭部が置かれる最適位置の近傍であってこの最適位置に向けて配置される。スピーカは、一対の腕により前記サポートに着脱可能に設置されており、その際、前記腕の各々が前記スピーカの各々を前記サポートに設置し、前記腕は、前記スピーカをリスナ位置に対して常に最適の位置に配置するために、独自の長さを有して構成され、かつサポートに対して選択された位置と角度関係とを有して配置される。この時、スピーカと頭部位置決め器とは、近接音場を形成できる特定の関係にあるように設置される。頭部位置決め器は、バスエンクロージャに設置されても良く、スピーカはバスエンクロージャに着脱可能に取付けられてもよい。
【０００７】
本発明の一態様によれば、頭部位置決め器具は顎のせから成る。本発明の他の態様によれば、各スピーカは腕によりバスエンクロージャに着脱可能に設置される。腕は、バスエンクロージャに対して選択された位置と角度関係とを有して配置される。
【０００８】
本発明の他の態様によれば、各スピーカはさらにコネクタを有する。コネクタは、バスエンクロージャの外面に設けられた対応するジャックに嵌合する。
【０００９】
本発明の更に他の態様によれば、バスエンクロージャはイコライザ回路と、パワーアンプと、ウーファとを備える。バスエンクロージャの出力部分は、リスナ頭部が置かれる最適位置から約１０１．６ミリメートル（約４インチ）前方に設置される。
【００１０】
本発明の典型的な実施例では、携帯用音場再生装置にキットが提供される。キットは、取っ手と保護梱包部とを有する持ち運び用ケースを含む。保護梱包部は仕切られており、バスエンクロージャ、頭部位置決め器、およびスピーカを取り外して仕切りに保管できる。
【００１１】
本発明の典型的な実施例の一態様によれば、このキットの保護梱包部は更に、腕を取り外して保管するための仕切りを有する。
【００１２】
本発明の上記以外の多数の特徴、目的および効果について、適宜図面を参照しながら、次で説明する。
【００１３】
【実施例】
図１は、本発明の実施例の斜視図であり、携帯用音場再生装置１０を示す。この携帯用音場再生装置１０により、バイノーラル方式でコード化された信号を変換して近接音場再生できる。
【００１４】
携帯用音場再生装置１０は、持ち運び用取っ手１４と一対のジャック１６および１８を有するバスエンクロージャ１２を含む。頭部位置決め器（たとえば顎のせ２０）はバスエンクロージャ１２に設置され、近接音場内の最適位置にリスナの頭部２２を位置決めするために使用される。コネクタ２４および２６は、ジャック１６および１８からスピーカ２８および３０に結線する。スピーカ２８および３０は、リスナ頭部２２の最適位置の近傍でありこの最適位置に向けて設置されるように、腕３２および３４によりバスエンクロージャに着脱可能に取り付けられる。
【００１５】
リスナ位置に対して常に最適な位置（たとえば、リスナの耳から前方および側方に約１７７．８ミリメートル（約７インチ）離れた２線の交点であってかつリスナの耳と同程度の高さの位置）にスピーカを配置するために、腕３２および３４は、特定の長さ（たとえば約２０３．２ミリメートル（約８インチ））を有して構成され、バスエンクロージャに対して選択された位置と角度関係とを有して配置される。
【００１６】
バスエンクロージャ１２にはスロット状の音場出力ポート８０が形成され、バスエンクロージャ１２は通常、市販のＢｏｓｅ  ＡＭ−３ウーファエンクロージャを用いることができる。バスエンクロージャ１２には８１で示すような４本のゴム製あるいはプラスティック製の脚が設置されており、振動防止に役立つ。
【００１７】
図２は、バスエンクロージャ１２とスピーカ２８とを接続する腕３２の接続部分を分解した図である。バスエンクロージャ１２は、腕３２を嵌合するためのスロット４６を有する一体型の据え付けブラケット４４を含む。スピーカ２８も同様に、腕３２を嵌合するためのスロット５０を有する据え付けブラケット４８を含む。腕３２はノブによりスロット４６及び５０に嵌合固定される。
【００１８】
図３および図４は、顎のせ２０がバスエンクロージャ１２に取り付けられた様子を示す。顎のせ２０はネジ５６により顎ブラケット５４に、また顎ブラケット５４はネジ６０により据え付け板５８に、それぞれ取り付けられ、この全体がネジ６２によりバスエンクロージャ１２に取り付けられる。
【００１９】
図５で示すように、バスエンクロージャ１２はイコライザ回路７０を含む。イコライザ回路７０は、左アンプ７１、バスアンプ７２および右アンプ７３をそれぞれ励磁する。左アンプ７１および右アンプ７３は、それぞれ出力ジャック１６および１８を備える。バスアンプ７２の出力はウーファ駆動回路７４を励磁する。バスエンクロージャ１２の音場出力ポート８０（図１）は、リスナ頭部２２の最適位置より、約１０１．６ミリメートル（約４インチ）前方に設置される。
【００２０】
図６および図７は、携帯用音場再生装置１０を収納するためのキットである持ち運びケース３６を示す。持ち運びケース３６は、持ち運びを容易にするための取っ手３８と、バスエンクロージャ１２、頭部位置決め器２０、スピーカ２８および３０、腕３２および３４を取り外して保管できるように仕切られている保護梱包部４０とを有する。
【００２１】
図８から図１０に示す本発明の他の実施例では、スピーカ２８および３０がビデオモニタ９１に取り付けられており、前述の頭部位置決め器とは異なる頭部位置決め器が示されている。図８では、額当て９２がモニタ９１上部から蝶番式に支持されており、装置を使用しない時には、モニタ９１の上部に押し上げて後方に倒すことができる。
【００２２】
図９に示す顎のせ２０は、蝶番式に支持されたベースプレートブラケット９３に設置される。
【００２３】
図１０は一対の照準管９４Ａおよび９４Ｂを示す。これらは、双方の照準管を通して同時に照準像を鮮明に見通せる位置がリスナ頭部が置かれる適正な位置になるように、特定の角度をもって設置される。
【００２４】
頭部位置決め器は、必ずしもモニタに取り付けられなくても良く、バスエンクロージャ他の適切な携帯用サポート構成部に取り付けられても良い。
【００２５】
【発明の効果】
本発明は多数の効果を有する。まず、再生時の音響効果が悪いために音質を損なうということなく実質的にどこででも使用でき、携帯可能である。また、比較的使い心地が良く衛生的である。さらに、リスナにとって所望の聴領域への出入りが容易に行える。頭部位置決め器は、適切な可聴位置を指示するための触覚的あるいは光学的フィードバックを提供する。また、装置の組立ておよび分解が容易かつ正確に行える。左右スピーカを確実に適切な位置に設定するためにスピーカを支持する腕を調整できる。本発明により再生される音は、リスナが適切な位置にいれば比較的高音質で楽しめる一方、適切な位置を外れていると、非常に低音質で聴こえる。
【００２６】
バイノーラル方式でコード化された信号を再生すると、ヘッドフォンや遠距離音場ラウドスピーカによって再生された音よりも本来の音に近い三次元聴覚を作り出す。バイノーラル方式でコード化された信号がさらに周知のコード化方法によりトランスオーラルにコード化されていれば、本発明を用いてこの信号を再生することで、生演奏で聴いた場合に得られる聴体験と比して遜色ない聴状態を作り出すことができる。
【００２７】
ここに挙げた以外の実施例も、請求の範囲に含まれる。
【図面の簡単な説明】
【図１】  本発明に係わる携帯用音場再生装置の斜視図である。
【図２】  バスエンクロージャとスピーカを接続する腕の接続部分を分解した図である。
【図３】  バスエンクロージャに取り付けられた顎のせの正面図である。
【図４】  バスエンクロージャに取り付けられた顎のせの側面図である。
【図５】  バスエンクロージャに内蔵される構成要素のブロック図である。
【図６】  開状態の持ち運びケースを示す線図である。
【図７】  閉状態の持ち運びケースを示す線図である。
【図８】  異なる頭部位置決め器を用いた、本発明の他の実施例を示す線図である。
【図９】  異なる頭部位置決め器を用いた、本発明の他の実施例を示す線図である。
【図１０】  異なる頭部位置決め器を用いた、本発明の他の実施例を示す線図である。
【符号の説明】
１０  携帯用音場再生装置、１２  バスエンクロージャ、１４  持ち運び用取っ手、２０  頭部位置決め器（顎のせ）、２２  リスナ頭部、２８，３０  スピーカ。
【図１】
0003638668.tif 000002
【図２】
0003638668.tif 000003
【図３】
0003638668.tif 000004
【図４】
0003638668.tif 000005
【図５】
0003638668.tif 000006
【図６】
0003638668.tif 000007
【図７】
0003638668.tif 000008
【図８】
0003638668.tif 000009
【図９】
0003638668.tif 000010
【図１０】
0003638668.tif 000011